【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
一つ以上のフルオレン残基をもち、且つフッ素化溶媒中で可溶性であるフッ素化された第一の有機化合物を含む第一の層をもつ有機電子デバイス（ｏｒｇａｎｉｃ  ｅｌｅｃｔｒｏｎｉｃ  ｄｅｖｉｃｅ）であって、前記第一の層は、フッ素化溶媒中で不溶性である第二の有機化合物を含む第二の層に隣接している前記デバイス。
【請求項２】
前記第一の有機化合物は、導電性または半導電性化合物である、請求項１に記載のデバイス。
【請求項３】
前記第一の有機化合物が構造：
【化１】
2013541834.tif 000001
｛式中、Ｒ１及びＲ２は同一または異なっていてもよく、水素、ハロゲンまたは、置換されていない、若しくは置換されたアルキル、アルケニル、アルキニル若しくはアリール基から選択される置換基を含むことができ；Ｘ１及びＸ２は独立して水素、ハロゲンまたは、置換されていない、若しくは置換されたアルキル、アルケニル、アルキニル若しくはアリール基から選択される置換基を含むことができ、Ｘ１、Ｘ２、Ｒ１、Ｒ２の少なくとも一つはフッ素であるか、または完全若しくは部分的にフッ素で置換された置換基を含む｝を含む、請求項１または２に記載のデバイス。
【請求項４】
Ｒ１及びＲ２の少なくとも一つはフッ素を含む、請求項３に記載のデバイス。
【請求項５】
Ｒ１及びＲ２の少なくとも一つは、部分的または完全にフッ素残基（ｒｅｓｉｄｕｅ）で置換された置換基を含む、請求項３に記載のデバイス。
【請求項６】
Ｘ１及びＸ２の少なくとも一つはフッ素を含む、請求項３〜５のいずれか一項に記載のデバイス。
【請求項７】
Ｘ１及びＸ２の少なくとも一つは、部分的にまたは完全にフッ素残基で置換された置換基を含む、請求項３〜５のいずれか一項に記載のデバイス。
【請求項８】
前記フッ素置換基は、前記第一の化合物の分子量の少なくとも１０重量％（ｗ／ｗ％）を構成する、請求項１〜７のいずれか一項に記載のデバイス。
【請求項９】
前記第二の有機材料が第二の有機化合物を含み、そのうちフッ素はその分子量の１０重量％未満である、請求項１〜８のいずれか一項に記載のデバイス。
【請求項１０】
前記第二の有機化合物が導電性または半導電性化合物である、請求項１〜９のいずれか一項に記載のデバイス。
【請求項１１】
前記第二の有機化合物が、構造：
【化２】
2013541834.tif 000002
｛式中、Ｒ３及びＲ４は同一または異なっていてもよく、水素または、置換されていない、若しくは置換されたアルキル、アルケニル、アルキニル若しくはアリール基から選択される置換基を含むことができる｝を含み、ここで前記第二の有機化合物は実質的にフッ素を含まない、請求項１〜１０のいずれか一項に記載のデバイス。
【請求項１２】
前記第一の溶媒は、フルオロアルカン類、またはフルオロ芳香族からなる群から選択されるフッ素化溶媒である、請求項１〜１１のいずれか一項に記載のデバイス。
【請求項１３】
前記第一の溶媒は、構造：
【化３】
2013541834.tif 000003
｛式中、Ｒ５〜Ｒ８は独立してフッ素、水素、または置換されていない、若しくは置換されたアルキル、アルケニル、アルキニル若しくはアリール基から選択される置換基を含み、ここでＲ５〜Ｒ８の少なくとも一つは水素を含まない｝を含む、請求項１〜１２のいずれか一項に記載のデバイス。
【請求項１４】
前記置換基は一つ以上のフッ素置換基で置換されている、請求項１３に記載のデバイス。
【請求項１５】
前記第二の溶媒が実質的に非フッ素化溶媒である、請求項１〜１４のいずれか一項に記載のデバイス。
【請求項１６】
前記第一の層は、カソードから発光層へ電子を輸送するための電子輸送層である、請求項１〜１５のいずれか一項に記載のデバイス。
【請求項１７】
前記第二の層は、電磁放射を放出するための発光層である、請求項１〜１６のいずれか一項に記載のデバイス。
【請求項１８】
前記電磁放射は、３００ｎｍ〜８００ｎｍの範囲である、請求項１７に記載のデバイス。
【請求項１９】
請求項１〜１８のいずれか一項に記載の有機電子デバイスを含む、エレクトロルミネッセントデバイス。
【請求項２０】
請求欧１〜１８のいずれか一項に記載の有機電子デバイスを含む、光学ディスプレイデバイス。
【請求項２１】
有機電子デバイスの導電性または半導電性層を形成するための溶液であって、前記溶液は、フッ素化溶媒と、一つ以上のフルオレン残基をもつフッ素化された第一の導電性または半導電性有機化合物を含む溶質とを含む、前記溶液。
【請求項２２】
前記第一の有機化合物がオリゴマーまたはポリマー性である、請求項２１に記載の溶液。
【請求項２３】
前記第一の有機化合物が、構造：
【化４】
2013541834.tif 000004
｛式中、Ｒ１及びＲ２は同一または異なっていてもよく、水素、ハロゲンまたは、置換されていない、若しくは置換されたアルキル、アルケニル、アルキニル若しくはアリール基から選択される置換基を含むことができ；Ｘ１及びＸ２は独立して水素、ハロゲンまたは、置換されていない、若しくは置換されたアルキル、アルケニル、アルキニル若しくはアリール基から選択される置換基を含み、Ｘ１、Ｘ２、Ｒ１、Ｒ２の少なくとも一つはフッ素であるか、完全若しくは部分的にフッ素で置換された置換基を含む｝を含む、請求項２１または２２に記載の溶液。
【請求項２４】
前記フッ素化溶媒が、フルオロアルカン類、またはフルオロ芳香族からなる群から選択される、請求項２１〜２３のいずれか一項に記載の溶液。
【請求項２５】
前記フッ素化溶媒が、構造：
【化５】
2013541834.tif 000005
｛式中、Ｒ５〜Ｒ８は独立して、フッ素、水素または、置換されていない、若しくは置換された、アルキル、アルケニル、アルキニル、またはアリール基から選択される置換基を含み、ここでＲ５〜Ｒ８の少なくとも一つは水素を含まない｝を含む、請求項２１〜２３のいずれか一項に記載の溶液。
【請求項２６】
前記置換基は、フッ素残基で部分的にまたは完全に置換されている、請求項２４に記載の溶液。
【請求項２７】
請求項２１〜２６のいずれか一項に記載の第一の溶液の層を基板（ｓｕｂｓｔｒａｔｅ）に適用して第一の層を製造する段階を含む、有機電子デバイスの製造法であって、前記基板は第二の有機化合物を含む第二の層を含み、そのようにして形成された前記第一の層は第二の層に隣接し、且つ密接に接触し、ここで前記第二の層は、第二の溶媒および前記第二の有機化合物を含む第二の溶液を適用することにより堆積されており、前記第二の有機化合物は前記フッ素化溶液に不溶性である、前記方法。
【請求項２８】
請求項２１〜２６のいずれか一項に記載の第一の溶液の層を基板に適用して第一の層を製造する、及び第二の溶媒と前記第二の有機化合物とを含む第二の溶液を適用する、各段階を含む有機電子デバイスの製造法であって、前記第二の有機化合物はフッ素化溶液に不溶性であり、このようにして形成された第二の層は前記第一の層に隣接し、且つ密接に接触している、前記方法。
【請求項２９】
前記第二の溶媒は有機溶媒を含む、請求項２７または２８に記載の方法。
【請求項３０】
請求項２７〜２９のいずれか一項に記載の方法であって、前記第二の有機化合物は、構造
：
【化６】
2013541834.tif 000006
｛式中、Ｒ３及びＲ４は同一または異なっていてもよく、水素または、置換されていない、若しくは置換されたアルキル、アルケニル、アルキニル若しくはアリール基から選択される置換基を含むことができる｝、ここで前記第二の有機化合物は実質的にフッ素を含まない、前記方法。
【請求項３１】
一つ以上のフルオレン残基をもつフッ素化有機化合物を含む、電子輸送材料。
【請求項３２】
前記材料がオリゴマー性またはポリマー性である、請求項３１に記載の材料。
【請求項３３】
請求項３１または３２に記載の材料であって、前記第一の有機化合物は構造：
【化７】
2013541834.tif 000007
｛式中、Ｒ１及びＲ２は同一または異なっていてもよく、水素、ハロゲンまたは、置換されていない、若しくは置換されたアルキル、アルケニル、アルキニル若しくはアリール基から選択される置換基を含むことができ；Ｘ１及びＸ２は独立して水素、ハロゲンまたは、置換されていない、若しくは置換されたアルキル、アルケニル、アルキニル若しくはアリール基から選択される置換基を含み、ここでＸ１、Ｘ２、Ｒ１、Ｒ２の少なくとも一つはフッ素であるか、完全若しくは部分的にフッ素で置換された置換基を含む｝を含む、前記材料。
【請求項３４】
非フッ素化エミッター層に隣接するフッ素化電子輸送層を含む、エレクトロルミネッセントデバイス。
【請求項３５】
一つ以上のフルオレン残基をもつフッ素化有機化合物を含む、エレクトロルミネッセント発光材料。